(57)【要約】【課題】本発明の課題は、印刷装置の転写胴を洗浄するための適切な時期を見極めて、洗浄の指示をする装置、方法を提供することである。【解決手段】印刷転写胴洗浄指示装置は、インキ皮膜濃度の限界値の入力を受け付けて、インキ皮膜を測定して、限界値とインキ皮膜濃度データから洗浄開始時刻を算出して、現在時刻が洗浄開始時刻と一致したら、洗浄開始指示を発行する。印刷制御装置は、洗浄開始指示を受け付けて、洗浄方法の選択肢を表示して、選択された洗浄方法を受け付けて、これを含む印刷転写胴制御要求と洗浄要求とを発行する。印刷装置は、前記印刷転写胴制御要求を受け付けて、これに含まれる洗浄方法にて、印刷転写胴を制御する。洗浄装置は、前記洗浄要求を受け付けて、これに含まれる洗浄方法にて、印刷転写胴を洗浄する。【選択図】図１
2007223183.tif 000002
【特許請求の範囲】
【請求項１】
印刷転写胴洗浄指示装置と印刷制御装置と印刷転写胴を有する印刷装置と洗浄装置とを接続して構成される印刷転写胴洗浄システムにおいて、
前記印刷転写胴洗浄指示装置は、
インキ皮膜濃度データとインキ皮膜濃度の限界値とを記憶する記憶手段と、
限界値の入力を受け付ける限界値入力手段と、
インキ皮膜を測定して、インキ皮膜濃度データを作成して、保持するインキ皮膜濃度測定手段と、
限界値とインキ皮膜濃度データから、洗浄開始時刻を算出する洗浄開始時刻算出手段と、
現在時刻が洗浄開始時刻と一致したら、洗浄開始指示を発行する洗浄開始指示手段と、
を備えて、
前記印刷制御装置は、
洗浄開始指示を受け付ける洗浄開始指示受付手段と、
洗浄方法の選択肢を表示する洗浄選択肢表示手段と、
選択された洗浄方法を受け付ける洗浄方法受付手段と、
前記受け付けられた洗浄方法を含む印刷転写胴制御要求を発行する印刷装置制御手段と
前記受け付けられた洗浄方法を含む洗浄要求を発行する洗浄装置制御手段と、
を備えて、
前記印刷装置は、
前記印刷転写胴制御要求を受け付けて、受け付けられた洗浄方法に応じて、印刷転写胴を制御する印刷転写胴制御手段、
を備えて、
前記洗浄装置は、
前記洗浄要求を受け付けて、受け付けられた洗浄方法に応じて、印刷転写胴を洗浄する印刷転写胴洗浄手段、
を備える、
印刷転写胴洗浄システム。
【請求項２】
インキ皮膜濃度データとインキ皮膜濃度の限界値とを記憶する記憶手段と、
限界値の入力を受け付ける限界値入力手段と、
インキ皮膜を測定して、インキ皮膜濃度データを作成して、保持するインキ皮膜濃度測定手段と、
限界値とインキ皮膜濃度データから、洗浄開始時刻を算出する洗浄開始時刻算出手段と、
現在時刻が洗浄開始時刻と一致したら、洗浄開始指示を発行する洗浄開始指示手段と、
を備える、
印刷転写胴洗浄指示装置。
【請求項３】
インキ皮膜濃度の限界値と、インキ皮膜濃度データとを用いる印刷転写胴洗浄方法であって、
インキ皮膜を測定して、インキ皮膜濃度データを作成して、保持するインキ皮膜濃度測定ステップと、
限界値とインキ皮膜濃度データから、洗浄開始時刻を算出する洗浄開始時刻算出ステップと、
現在時刻が洗浄開始時刻と一致したら、洗浄開始指示を発行する洗浄開始指示ステップと、
洗浄開始指示を受け付けて、洗浄方法の選択肢を表示する洗浄選択肢表示ステップと、
選択された洗浄方法を受け付ける洗浄方法受付ステップと、
前記受け付けられた洗浄方法を含む印刷転写胴制御要求と、前記受け付けられた洗浄方法を含む洗浄要求と、を発行する装置制御ステップと、
を備えて、
前記印刷転写胴制御要求を受け付けて、受け付けられた洗浄方法に応じて、印刷転写胴を制御する印刷転写胴制御ステップと、
前記洗浄要求を受け付けて、受け付けられた洗浄方法に応じて、印刷転写胴を洗浄する印刷転写胴洗浄ステップと、
を含んだ手順でなされることを特徴として、印刷転写胴洗浄方法。
【請求項４】
コンピュータに組込むことによって、コンピュータを請求項１に記載の印刷転写胴洗浄指示システム、または、請求項２に記載の印刷転写胴洗浄指示装置として動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、オフセット印刷装置において、印刷胴（版胴）からブランケット（転写胴）に転移して、堆積するインキを洗浄する方法、に関するものである。
【０００２】
従来から、長時間にわたり連続して印刷すると、印刷装置の転写胴から紙面へのインキの転移率が次第に低下してゆき、転写胴の上に残留インキが増加していくこと(ブランケットパイリング)が分かっている。ブランケットパイリングが発達して、残留インキが増加すると紙面印刷物の網点形成を阻害し、絵柄に目視確認できるガサツキが発生し、品質不良となる。そこで、印刷品質に悪影響を与える転写胴に残留するインキの量を抑制するための様々な対策が採られている。
【背景技術】
【０００３】
たとえば、特許文献１では、印刷装置の転写胴の表面を親水化処理することで、インキが残留するのを防止して、残留インキを転写胴に転写させない技術が開示されている。（従来技術１）
【特許文献１】特開２００４−１９５８６８号公報（４−５ページ）
【発明の開示】
【発明が解決しようとする課題】
【０００４】
ところで、従来技術１では、印刷装置操作者は、印刷品質不良の防止のためには、作業中の印刷物を目視確認して、印刷品質不良が発生するまえに、転写胴の洗浄を行う必要がある。そのために、不良が発生して次工程に印刷品質不良品が流出することを危惧するために、早めの洗浄が実施されてしまい、結果として、転写胴洗浄回数が適切な回数より多く行われるという欠点があった。
また、転写胴を洗浄した後に印刷作業を再開するときには、印刷状態が定常になるまでの調整作業により、不良品（損紙）損紙が発生するために、転写胴洗浄回数が適切な回数より多く行われることは、省資源や環境対策の観点からも問題点があった。
他方、転写胴の洗浄時期が遅れると、印刷品質不良が発生してしまい、印刷材料が無駄になり、さらに、印刷をやり直すことによる生産性の低下をきたすという悪影響があった。
【０００５】
本発明はこのような従来技術を考慮してなされたものであって、本発明の課題は、印刷装置の転写胴を洗浄するための適切な時期を見極めて、洗浄の指示をする装置、方法を提供することである。
【課題を解決するための手段】
【０００６】
本発明は、以下のような解決手段により、前記課題を解決する。すなわち、請求項１の発明は、印刷転写胴洗浄指示装置と印刷制御装置と印刷転写胴を有する印刷装置と洗浄装置とを接続して構成される印刷転写胴洗浄システムにおいて、前記印刷転写胴洗浄指示装置は、インキ皮膜濃度データとインキ皮膜濃度の限界値とを記憶する記憶手段と、限界値の入力を受け付ける限界値入力手段と、インキ皮膜を測定して、インキ皮膜濃度データを作成して、保持するインキ皮膜濃度測定手段と、限界値とインキ皮膜濃度データから、洗浄開始時刻を算出する洗浄開始時刻算出手段と、現在時刻が洗浄開始時刻と一致したら、洗浄開始指示を発行する洗浄開始指示手段と、を備えて、前記印刷制御装置は、洗浄開始指示を受け付ける洗浄開始指示受付手段と、洗浄方法の選択肢を表示する洗浄選択肢表示手段と、選択された洗浄方法を受け付ける洗浄方法受付手段と、前記受け付けられた洗浄方法を含む印刷転写胴制御要求を発行する印刷装置制御手段と、前記受け付けられた洗浄方法を含む洗浄要求を発行する洗浄装置制御手段と、を備えて、前記印刷装置は、前記印刷転写胴制御要求を受け付けて、受け付けられた洗浄方法に応じて、印刷転写胴を制御する印刷転写胴制御手段、を備えて、前記洗浄装置は、前記洗浄要求を受け付けて、受け付けられた洗浄方法に応じて、印刷転写胴を洗浄する印刷転写胴洗浄手段、を備える、印刷転写胴洗浄システムである。
【０００７】
従って、インキ皮膜濃度の限界値に達すると、自動的に、各印刷ユニットの印刷転写胴を洗浄することができる。
【０００８】
請求項２の発明は、インキ皮膜濃度データとインキ皮膜濃度の限界値とを記憶する記憶手段と、限界値の入力を受け付ける限界値入力手段と、インキ皮膜を測定して、インキ皮膜濃度データを作成して、保持するインキ皮膜濃度測定手段と、限界値とインキ皮膜濃度データから、洗浄開始時刻を算出する洗浄開始時刻算出手段と、現在時刻が洗浄開始時刻と一致したら、洗浄開始指示を発行する洗浄開始指示手段と、を備える、印刷転写胴洗浄指示装置である。
【０００９】
請求項３の発明は、インキ皮膜濃度の限界値と、インキ皮膜濃度データとを用いる印刷転写胴洗浄方法であって、インキ皮膜を測定して、インキ皮膜濃度データを作成して、保持するインキ皮膜濃度測定ステップと、限界値とインキ皮膜濃度データから、洗浄開始時刻を算出する洗浄開始時刻算出ステップと、現在時刻が洗浄開始時刻と一致したら、洗浄開始指示を発行する洗浄開始指示ステップと、洗浄開始指示を受け付けて、洗浄方法の選択肢を表示する洗浄選択肢表示ステップと、選択された洗浄方法を受け付ける洗浄方法受付ステップと、前記受け付けられた洗浄方法を含む印刷転写胴制御要求と、前記受け付けられた洗浄方法を含む洗浄要求と、を発行する装置制御ステップと、を備えて、前記印刷転写胴制御要求を受け付けて、受け付けられた洗浄方法に応じて、印刷転写胴を制御する印刷転写胴制御ステップと、前記洗浄要求を受け付けて、受け付けられた洗浄方法に応じて、印刷転写胴を洗浄する印刷転写胴洗浄ステップと、を含んだ手順でなされることを特徴として、印刷転写胴洗浄方法である。
【００１０】
請求項４の発明は、コンピュータに組込むことによって、コンピュータを請求項１、または、請求項２に記載の見当センサ光源選択式印刷見当制御システム、または、見当センサ光源選択装置として動作させるコンピュータプログラムである。
【００１１】
請求項５の発明は、請求項４に記載のコンピュータプログラムを記録したコンピュータ読取り可能な記録媒体である。
【発明の効果】
【００１２】
本願発明によれば、印刷装置の転写胴の適切な洗浄時期を指示することで、無用な印刷装置の停止を防ぐことで、印刷装置の生産性が向上する。また、無用な印刷装置の停止を防ぐことで、印刷作業の再開における調整作業による印刷材料の無駄がなくなり、省資源や環境対策に貢献する。
【発明を実施するための最良の形態】
【００１３】
（実施例）
以下、図面等を参照しながら、本発明の実施の形態について、更に詳しく説明する。図１は、印刷転写胴洗浄システムの概要を説明する図である。印刷転写胴洗浄システム１は、印刷転写胴洗浄指示装置１００と印刷制御装置３００と印刷装置７００と洗浄装置５００とを接続して構成される。前記印刷転写胴洗浄指示装置１００は、インキ皮膜測定器１１０（たとえば、光学色濃度計）とインキ皮膜濃度データ１９１とを備える。印刷制御装置３００は、印刷装置７００と洗浄装置５００とを制御する。印刷装置７００は、版胴７５５と印刷転写胴７５７とを有する印刷ユニット７５０を備える。印刷ユニット７５０は、版胴７５５が形成したインキ画像を、印刷転写胴７５７を介して、印刷媒体９００に印刷する。
【００１４】
ここで、インキ皮膜測定器１１０は、各印刷ユニット７５０に備えても良いし、印刷の最後の印刷ユニット７５０に備えても良い。また、インキ皮膜測定器１１０としては、光学色濃度計の代わりに、インキ膜厚計や分光測色器でも良い。
【００１５】
さらに、印刷媒体９００のインキ皮膜の測定結果は、印刷媒体９００に応じて変動することがあるので、印刷媒体９００の濃度測定をする変動要因参照用の光学色濃度計を、別途、設置しても良い。
【００１６】
なお、本発明において、インキ皮膜濃度データ１９１とは、印刷媒体９００上の版胴７３０が形成したインキ画像部以外の部分を測定したインキ濃度値である。
【００１７】
図２は、印刷転写胴洗浄システムの大まかな処理の流れを説明する。印刷転写胴洗浄指示装置１００のインキ皮膜測定器１１０は、印刷媒体の印刷領域の外（たとえば、印刷媒体のトンボ印刷位置から充分に外側にある位置）のインキ皮膜を計測して、インキ皮膜データを作成する（図２（１））。印刷転写胴洗浄指示装置１００は、印刷装置操作者が入力したインキ皮膜の限界値を受け付ける（同（２））。
【００１８】
印刷転写胴洗浄指示装置１００は、インキ皮膜が限界値に達する時間を、インキ皮膜データを用いて予測して、洗浄開始時刻を算出する（同（３））。
【００１９】
印刷転写胴洗浄指示装置１００は、洗浄開始時刻になったら、洗浄開始指示を発行する（同（４））。
【００２０】
印刷制御装置３００は、洗浄開始指示を受け付けて、警報音を発生して、洗浄方法の選択肢を表示する（同（５））。印刷制御装置３００は、選択された洗浄方法を受け付けて、警報音を発生して、選択された洗浄方法を含んだ印刷転写胴制御要求と洗浄要求を発行する（同（６））。印刷装置７００は、印刷転写胴制御要求を受け付けて、選択された洗浄方法に応じて、印刷転写胴３１０の回転を制御する（同（７））。洗浄装置５００は、洗浄要求を受け付けて、選択された洗浄方法に応じて、印刷転写胴３１０を洗浄する（同（８））。
このとき、全印刷ユニットの印刷転写胴７５７を洗浄しても良いし、インキ皮膜が限界値に達した印刷転写胴７５７のみを洗浄しても良い。
【００２１】
図３は、印刷転写胴洗浄システムの詳細な構成図である。印刷転写胴洗浄システム１は、印刷転写胴洗浄指示装置１００と印刷制御装置３００と印刷装置７００と洗浄装置５００とを接続して構成される。
【００２２】
印刷転写胴洗浄指示装置１００は、インキ皮膜濃度測定手段１１０と、限界値入力手段１２０と、洗浄開始時刻算出手段１４０と、洗浄開始指示手段１５０と、記憶手段１９０と、を備える。記憶手段１９０は、インキ皮膜濃度データ１９１と、限界値１９３と、を記憶する。
【００２３】
限界値入力手段１２０は、インキ皮膜濃度の限界値１９３の入力を受け付ける。インキ皮膜濃度測定手段１１０は、インキ皮膜を測定して、インキ皮膜濃度データ１９１を作成して、保持する。洗浄開始時刻算出手段１４０は、限界値とインキ皮膜濃度データから、洗浄開始時刻を算出する。
洗浄開始指示手段１５０は、現在時刻が洗浄開始時刻と一致したら、洗浄開始指示を発行する。
【００２４】
印刷制御装置３００は、洗浄開始指示受付手段３５０と、洗浄選択肢表示手段３５３と、洗浄方法受付手段３５６と、印刷装置制御手段３６０と、洗浄装置制御手段３７０と、を備える。
【００２５】
洗浄開始指示受付手段３５０は、洗浄開始指示を受け付ける。洗浄選択肢表示手段３５３は、洗浄方法の選択肢（たとえば、「１．印刷転写胴の回転速度を変えずに、洗浄する。」「２．印刷転写胴の回転速度を変えずに、印刷ユニットから抜いて、洗浄する。」「３．印刷機の回転を停止した後に、印刷転写胴を、ゆっくり回転して、洗浄する。」）を表示する。洗浄方法受付手段３５６は、洗浄方法の選択肢の中から選択された洗浄方法を受け付ける。印刷装置制御手段３６０は、前記受け付けられた洗浄方法を含む印刷転写胴制御要求を発行する。洗浄装置制御手段３７０は、前記受け付けられた洗浄方法を含む洗浄要求を発行する。
【００２６】
洗浄装置５００は、印刷転写胴洗浄手段５７０を備える。
【００２７】
印刷転写胴洗浄手段５７０は、前記洗浄要求を受け付けて、受け付けられた洗浄方法に応じて、印刷転写胴を洗浄する。
【００２８】
印刷装置７００は、印刷転写胴制御手段７６０を備える。
【００２９】
印刷転写胴制御手段７６０は、前記印刷転写胴制御要求を受け付けて、受け付けられた洗浄方法に応じて、印刷転写胴を制御する。
【００３０】
インキ皮膜濃度測定手段１１０は、光学濃度計である。記憶手段１９０は、メモリである。限界値入力手段１２０と、洗浄開始時刻算出手段１４０と、洗浄開始指示手段１５０と、洗浄開始指示受付手段３５０と、洗浄選択肢表示手段３５３と、洗浄方法受付手段３５６と、印刷装置制御手段３６０と、洗浄装置制御手段３７０と、印刷転写胴洗浄手段５７０と、印刷転写胴制御手段７６０と、は、コンピュータプログラムである。インキ皮膜濃度データ１９１と、限界値１９３と、は、コンピュータプログラムが可読なデータである。
【００３１】
図４は、インキ膜厚測定位置の説明図である。転写胴７５７には、版胴７５５の印刷領域のインキが転写された印刷領域７５７ａと、余白に相当する非印刷領域７５７ｂと、が形成されている。転写胴７５７の印刷領域７５７ａと非印刷領域７５７ｂとのインキは、印刷媒体９００に、転写されて、印刷される。このとき、印刷媒体９００には、転写胴の印刷領域７５７ａが印刷された印刷領域９００ａと、転写胴の非印刷領域７５７ｂが印刷された非印刷領域９００ｂとが形成される。そこで、光学濃度計１１０は、印刷媒体９００の非印刷領域９００ｂのインキ皮膜濃度を測定して、インキ皮膜濃度データ１９１を作成する。
【００３２】
このように、従って、光学濃度計１１０が、印刷媒体９００の非印刷領域９００ｂのインキ皮膜濃度を測定することで、残留インキ量を、計測することができる。
【００３３】
図５は、洗浄開始時刻の算出手順の説明図である。インキ皮膜の測定は、所定の時間間隔１９１ｃを置いて、暗い返しおこなう。まず、最初のインキ皮膜を測定して、インキ皮膜濃度データ１９１ａを作成して、前回インキ皮膜濃度データ１９１ａとして、保持する（図５（ア））。所定の時間（たとえば、１０分間隔））１９１ｃが経過した後に、インキ皮膜を測定して、インキ皮膜濃度データ１９１ｂを作成して、今回インキ皮膜濃度データ１９１ｂとして、保持する（同（イ））。
【００３４】
次に、今回測定したインキ皮膜濃度データ１９１ｂと、前回測定したインキ皮膜濃度データ１９１ａと、限界値１９３から、予測時間１４０ａを算出する。たとえば、今回測定したインキ皮膜濃度データ１９１ｂと前回測定したインキ皮膜濃度データ１９１ａの差を求めて、限界値１９３と今回測定したインキ皮膜濃度データ１９１ａの差を除算して、除算した結果に所定の時間１９１ｃを乗算して、予測時間１４０ａを算出する（同（ウ））。予測時間１４０ａに現在時刻を加算して、洗浄開始時刻１４０ｂを算出する（同（エ））。今回測定したインキ皮膜濃度データ１９１ｂを、前回測定したインキ皮膜濃度データ１９１ａにして、保持する（同（オ））。
【００３５】
この後、洗浄開始時刻１４０ｂが現在時刻と一致するとき時が来るまでは、所定時間間隔１９１ｃごとに、（イ）から、（オ）までを繰り返す。
【００３６】
以上詳しく説明したように、本願発明によれば、印刷装置の転写胴の適切な洗浄時期を指示することで、無用な印刷装置の停止を防ぐことで、印刷装置の生産性が向上した。また、無用な印刷装置の停止を防ぐことで、印刷作業の再開における調整作業による印刷材料の無駄がなくなり、省資源や環境対策に貢献できた。
【図面の簡単な説明】
【００３７】
【図１】印刷転写胴洗浄システム概要
【図２】印刷転写胴洗浄システムの大まかな処理の流れ
【図３】印刷転写胴洗浄システムの詳細な構成図
【図４】インキ膜厚測定位置の説明図
【図５】洗浄開始時刻の算出手順
【符号の説明】
【００３８】
１  印刷転写胴洗浄システム
１００  印刷転写胴洗浄指示装置
１１０  インキ皮膜濃度測定手段
１２０  限界値入力手段
１４０  洗浄開始時刻算出手段
１４０ａ  予測時間
１５０  洗浄開始指示手段
１９１  インキ皮膜濃度データ
１９１ａ  前回測定したインキ皮膜濃度データ
１９１ｂ  今回測定したインキ皮膜濃度データ
１９１ｃ  所定の時間
１９３  限界値
３００  印刷制御装置
３５０  洗浄開始指示受付手段
３５３  洗浄選択肢表示手段
３５６  洗浄方法受付手段
３６０  印刷装置制御手段
３７０  洗浄装置制御手段
５００  洗浄装置
５７０  印刷転写胴洗浄手段
７００  印刷装置
７５０  印刷ユニット
７５５  版胴
７５７  印刷転写胴
７６０  印刷転写胴制御手段
９００  印刷媒体
【図１】
2007223183.tif 000003
【図２】
2007223183.tif 000004
【図３】
2007223183.tif 000005
【図４】
2007223183.tif 000006
【図５】
2007223183.tif 000007